(57)【要約】【課題】収納室を開閉する扉間からの照明を、放熱構造を含めて簡素な構成で実現し得るキャビネットを提供する。【解決手段】一面の開口を同側に向けて並設された複数の収納室２１と、各収納室２１の開口を開閉自在に覆う前面扉とを備えるキャビネット２において、相隣する収納室２１夫々の側板２２間に介装され、両側板２２を対向面間に少なくとも上部が開放された空間を隔てて接合するスペーサ４と、前面扉の間で収容室２１の開口の側に位置するスペーサ４の一面に取り付けてあり、前面扉の間から照明光を出射する照明器具３とを備える構成とする。【選択図】図２
2018023621.tif 000002
【特許請求の範囲】
【請求項１】
一面の開口を同側に向けて並設された複数の収納室と、各収納室の開口を開閉自在に覆う扉とを備えるキャビネットにおいて、
相隣する前記収納室夫々の側板間に介装され、両側板を対向面間に少なくとも上部が開放された空間を隔てて接合するスペーサと、
前記扉の間で前記収容室の開口の側に位置する前記スペーサの一面に取り付けてあり、前記扉の間から照明光を出射する照明器具と
を備えることを特徴とするキャビネット。
【請求項２】
前記収納室は、側板、天板、底板及び背板により５方を囲い、個々に独立した筐体として構成してある請求項１に記載のキャビネット。
【請求項３】
前記収納室は、側板及び底板により３方を囲った枠体を、共通の天板及び背板により連結して構成してある請求項１に記載のキャビネット。
【請求項４】
前記スペーサは、前記側板の前記開口側端縁の略全長に沿わせた縦片を有し、前記照明器具は、前記縦片に取り付けてある請求項１から請求項３のいずれか１つに記載のキャビネット。
【請求項５】
前記スペーサは、前記側板の前記開口側端縁に一側を沿わせ、上下方向に間隔を隔てて複数配してあり、各スペーサの他側に前記空間が形成してある請求項１から請求項３のいずれか１つに記載のキャビネット。
【請求項６】
前記照明器具は、一面に複数のＬＥＤが実装され、前記スペーサの一面に固定されたＬＥＤ基板を備える請求項１から請求項５のいずれか１つに記載のキャビネット。
【発明の詳細な説明】
【技術分野】
【０００１】
本発明は、照明器具を付設した物品収納用のキャビネットに関する。
【背景技術】
【０００２】
例えば、サニタリー用品、美容用品の収納を目的として洗面化粧台に設けられるキャビネットは、収納室を開閉する扉の表面を鏡貼りとし、更に、照明器具を付設したミラーキャビネットとして構成されることがある（例えば、特許文献１参照）。
【０００３】
特許文献１に記載のキャビネットは、夫々の開口を同側（前側）に向けて並設された複数の収納室と、これらの開口を開閉自在に覆う前面扉とを備えている。照明器具は、ＬＥＤ（発光ダイオード）を光源とし、閉じられた前面扉間から前方に光を放射するように配置されている。
【先行技術文献】
【特許文献】
【０００４】
【特許文献１】特許第５６８５７４１号公報
【発明の概要】
【発明が解決しようとする課題】
【０００５】
特許文献１に記載のキャビネットにおいて、照明器具は、各収納室間を仕切る仕切り壁の前側端面に沿って固定ベースを介して取り付けてある。しかしながら、仕切り壁は、相隣する収納室夫々の側壁としてキャビネット本体と一体に設けられているため、発光に伴うＬＥＤの発熱の放熱を良好に行わせることが難しく、放熱構造を含めた照明器具の構成が複雑となるという問題がある。
【０００６】
本発明は斯かる事情に鑑みてなされたものであり、扉間からの照明を簡素な構成で実現したキャビネットを提供することを目的とする。
【課題を解決するための手段】
【０００７】
本開示の一実施形態に係るキャビネットは、一面の開口を同側に向けて並設された複数の収納室と、各収納室の開口を開閉自在に覆う扉とを備えるキャビネットにおいて、相隣する前記収納室夫々の側板間に介装され、両側板を対向面間に少なくとも上部が開放された空間を隔てて接合するスペーサと、前記扉の間で前記収容室の開口の側に位置する前記スペーサの一面に取り付けてあり、前記扉の間から照明光を出射する照明器具とを備えることを特徴とする。
【０００８】
また前記収納室は、側板、天板、底板及び背板により５方を囲い、個々に独立した筐体として構成してある。
【０００９】
また前記収納室は、側板及び底板により３方を囲った枠体を、共通の天板及び背板により連結して構成してある。
【００１０】
また前記スペーサは、前記側板の前記開口側端縁の略全長に沿わせた縦片を有し、前記照明器具は、前記縦片に取り付けてある。
【００１１】
また前記スペーサは、前記側板の前記開口側端縁に一側を沿わせ、上下方向に間隔を隔てて複数配してあり、各スペーサの他側に前記空間が形成してある。
【００１２】
また前記照明器具は、一面に複数のＬＥＤが実装され、前記スペーサの一面に固定されたＬＥＤ基板を備える。
【発明の効果】
【００１３】
本開示の実施形態においては、収納室を開閉する扉間からの照明を、放熱構造を含めて簡素な構成で実現することができる。
【図面の簡単な説明】
【００１４】
【図１】実施の形態１に係るキャビネットを備える洗面化粧台の斜視図である。
【図２】前面扉を取り外したキャビネットの斜視図である。
【図３】図２に示すキャビネットの分解斜視図である。
【図４】照明器具の構成例を示す断面図である。
【図５】実施の形態２に係るキャビネットの斜視図である。
【図６】図５に示すキャビットの分解斜視図である。
【図７】実施の形態３に係るキャビネットの斜視図である。
【図８】図７に示すキャビットの分解斜視図である。
【図９】実施の形態４に係るキャビネットの斜視図である。
【図１０】図９に示すキャビットの分解斜視図である。
【発明を実施するための形態】
【００１５】
（実施の形態１）
以下、本発明の実施の形態について説明する。図１は、実施の形態１に係るキャビネットを備える洗面化粧台の斜視図である。以下の説明においては、図１に示す使用状態における上下、前後及び左右を使用する。これらの方向は、図１及び他の図中に矢符により示してある。
【００１６】
図１に示す如く洗面化粧台は、床面上に設置された洗面台１と、該洗面台１の上方に配置されたキャビネット２とを備えている。洗面台１は、所定の高さ位置に設けた天板１０と、該天板１０の上面に設けた洗面ボウル１１及び混合水栓１２とを備えている。使用者は、混合水栓１２から放出される湯水を利用し、洗面ボウル１１内で洗面、洗髪等の洗い作業を実施することができる。
【００１７】
天板１０の下側には、前開きの扉１３及び引き出し１４を有する収納部が設けてある。また天板１０の上部には、後縁に沿って略垂直に立ち上がる支持壁１５が設けてあり、該支持壁１５の上部にキャビネット２が固定支持されている。
【００１８】
キャビネット２は、洗面台１の天板１０と略等しい左右幅と、天板１０より小さい前後深さとを有する箱体であり、該キャビネット２の前面は、左右方向に並ぶ複数枚（図においては３枚）の前面扉２０により覆われている。
【００１９】
前面扉２０は、夫々の表面に鏡貼りした鏡扉として構成されており、例えば、左右方向の一端縁を枢軸とする揺動、又は左右方向のスライド移動により夫々の後側に設けた収納室２１（図２参照）を開閉可能としてある。隣り合う前面扉２０、２０の間には、図１に示す閉止状態で適宜の隙間が確保されており、これらの隙間から前方を臨むように照明器具３が取り付けてある。
【００２０】
図２は、前面扉２０を取り外したキャビネット２の斜視図、図３は、図２に示すキャビネット２の分解斜視図である。図示の如くキャビネット２は、左右方向に並設された３つの収納室２１を備えている。夫々の収納室２１は、左右の側板２２、２２、上下の天板２３及び底板２４、並びに背板２５により５方を囲い、背板２５に対向する前面全体を開口とする独立した筐体として構成されている。
【００２１】
キャビネット２は、図３に示す如く、３つの収納室２１を開口側を前向きとして並べ、相隣する収納室２１の側板２２、２２を、対向面間に介装したスペーサ４と共に一体に接合して構成されている。夫々の収納室２１の内部には、複数の棚板（図示せず）が、上下方向に適宜の間隔を隔てて架設してあり、サニタリー用品、美容用品等の種々の物品を載置、収納し得るようになしてある。なお、右側に位置する収納室２１の底板２４は、上方に適長ずらせて設けてあり、この底板２４の下部は、例えば、美容機器、ヘアドライヤ、髭剃り機等を接続するための電源コンセントの配設空間として利用される。
【００２２】
スペーサ４は、図３に示す如く、側板２２と略等しい上下寸法を有する板状の縦片を前後方向に並べ、これらの下部を側板２２と略等しい前後寸法を有する横片により連結し、全体として上下方向に長いＵ字形をなす部材である。収納室２１、２１は、スペーサ４の縦片を側板２２、２２の前、後縁に夫々沿わせ、横片を側板２２、２２の下縁に沿わせて、接着、隠し釘、隠しネジ、ダボ付け等の適宜の接合手段により、図２に示す如く接合されている。スペーサ４は、前述の如くＵ字形をなしており、該スペーサ４を介して接合された側板２２、２２間には、上部が開放された空間が形成される。
【００２３】
照明器具３は、図３に示す如く、短冊形の基板の一面に複数のＬＥＤが実装されたＬＥＤ基板３０と、ＬＥＤ基板３０の実装面を覆う拡散カバー３１とを備え、側板２２、２２間に位置するスペーサ４の前面に、該スペーサ４の略全長に亘って図２に示す如く取り付けてある。
【００２４】
図４は、照明器具３の構成例を示す断面図である。本図に示す照明器具３は、スペーサ４の前部に突設された固定座４０の座面にＬＥＤ基板３０をＬＥＤ３０ａの実装面を前向きとして固定し、このＬＥＤ基板３０の前側を覆うように拡散カバー３１を取り付けて構成されている。
【００２５】
ＬＥＤ基板３０は、全面での接着、長さ方向の複数箇所でのネジ止め等の適宜の手段により、固定座４０との密着性を保って固定されている。このＬＥＤ基板３０は、上側端部から引き出されたリード線を介して電源基板（図示せず）に接続されており、ＬＥＤ基板３０上に並ぶ複数のＬＥＤ３０ａは、電源基板からの給電により発光する。電源基板は、収納室２１の内部に一部を囲って設けた基板室（図示せず）に、光量制御、色制御等の各種の制御を実行する制御部と共に収納すればよい。
【００２６】
拡散カバー３１は、光拡散性を有する樹脂材料製の成形品であり、図４に示すアーチ形の軸断面を有し、スペーサ４の前端面と略同長の棒状をなしている。この拡散カバー３１は、アーチ形の両脚部を固定座４０の両側に設けた係合部に係合させ、ＬＥＤ基板３０の外側を覆うように取り付けてあり、ＬＥＤ基板３０上のＬＥＤ３０ａの発光を拡散により均等化し、前面から外部に出射する作用をなす。
【００２７】
以上の如く取り付けられた照明器具３は、前述の如く、隣り合う前面扉２０、２０の間から前方を臨むように位置しており、拡散カバー３１により均等化された出射光は、前面扉２０、２０の間から前方に放射される。従って、前面扉２０を鏡とする使用形態において、使用者を良好に照明することができる。
【００２８】
照明器具３は、光源としてのＬＥＤ基板３０をスペーサ４に固定し、このＬＥＤ基板３０の外側を拡散カバー３１により覆った簡素な構成により実現することができる。ＬＥＤ基板３０に実装されたＬＥＤ３０ａは、照明光の発光に伴って発熱するが、ＬＥＤ基板３０は、隣り合う収納室２１、２１の側板２２、２２間に介装されたスペーサ４に固定されており、該スペーサ４は、側板２２、２２間に上部が開放された空間を形成している。従って、ＬＥＤ３０ａの発生熱は、スペーサ４により形成される空間内に放熱され、開放部を通して外部に放出される。
【００２９】
この放熱を良好に行わせるためには、スペーサ４を、熱伝導性に優れた金属材料製、例えば、アルミニウム製とするのが望ましい。更に、ＬＥＤ基板３０が固定されるスペーサ４の縦片の後側に放熱フィンを一体成形し、空気との接触面積を大きくすることにより放熱効果を高めることができる。なお、スペーサ４の開放部は、塵埃、異物等の進入を防止するために通気が可能なフィルタにより覆うのが望ましい。
【００３０】
照明器具３は、実施の形態の構成に限らず、公知の他の構成であってもよいが、複数のＬＥＤ３０ａが実装された短冊状のＬＥＤ基板３０をスペーサ４の略全長に亘って固定してある実施の形態の照明器具３によれば、前面扉２０、２０間の全体を利用した均等な照明を簡素な構成により実現することができる。
【００３１】
（実施の形態２）
図５は、実施の形態２に係るキャビネット２の斜視図、図６は、図５に示すキャビット２の分解斜視図である。このキャビネット２は、スペーサ４の構成を除けば、図２、３に示す実施の形態１と共通しており、対応する構成部材に同一の参照符号を付して説明を省略する。
【００３２】
図６に示す如く、実施の形態２に係るキャビネット２は、相隣する収納室２１夫々の側板２２、２２間に複数（図においては４つ）のスペーサ４が介装されている。これらのスペーサ４は、矩形平板状をなし、上下方向に間隔を隔てて並設してある。最下部に位置するスペーサ４は、側板２２と略等しい前後寸法を有しており、側板２２、２２の前、後縁及び下縁に３辺を沿わせてある。他のスペーサ４は、側板２２よりも小さい前後寸法を有しており、夫々の位置で側板２２、２２の前縁に１辺を沿わせてある。
【００３３】
キャビネット２は、相隣する収納室２１の側板２２、２２を前述の如く配したスペーサ４を介して接合し、側板２２、２２間で上下に並ぶ複数のスペーサ４間に架け渡すように照明器具３を取り付けて、図５に示す如く構成されている。なお図６中の照明器具３は、ＬＥＤ基板３０、拡散カバー３１を組み合わせた状態で示してある。
【００３４】
以上の如く構成されたキャビネット２において、相隣する収納室２１の側板２２、２２間には、上下に並ぶスペーサ４の間、及び前後寸法が短いスペーサ４の後側に連続する空間が形成され、この空間は、図５に示す如く、上部が開放されている。従って、スペーサ４に取り付けられた照明器具３の発生熱は、スペーサ４により形成される空間内に放熱され、開放部を通して外部に放出されることとなり、複雑な構成を必要とせずに良好な放熱を実現することができる。
【００３５】
また側板２２、２２間の空間は、上下に並ぶスペーサ４の間で前部にも連通しており、この連通部は、空間内へ外気を吸気する吸気口として利用し得るから、スペーサ４を介した熱交換及び上側開放部による放熱を一層良好に行わせることができる。なお、スペーサ４の構成（形状、並設数等）は、適宜に変更可能である。
【００３６】
（実施の形態３）
図７は、実施の形態３に係るキャビネット２の斜視図、図８は、図７に示すキャビット２の分解斜視図である。このキャビネット２は、収納室２１及びスペーサ４の構成を除けば、図２、３に示す実施の形態１と共通しており、対応する構成部材に同一の参照符号を付して説明を省略する。
【００３７】
図８に示す如く、実施の形態２に係るキャビネット２において、各収納室２１は、側板２２、２２の下部を底板２４により連結してなる枠体を左右方向に並べ、相隣する側板２２、２２をスペーサ４を介して一体に接合し、更に、これらの上部及び後部の全体を、共通する天板２３及び背板２５により覆って構成されている。
【００３８】
スペーサ４は、図８に示す如く、側板２２と略等しい上下寸法を有する板状の縦片の下部に側板２２と略等しい前後寸法を有する横片を連設してなり、上下方向に長いＬ字形をなす部材である。このスペーサ４は、側板２２、２２の前縁に縦片を、側板２２、２２の下縁に横片を沿わせて介装されており、照明器具３は、側板２２、２２間に位置するスペーサ４の縦片の前面に取り付けてある。なお図８中の照明器具３は、ＬＥＤ基板３０、拡散カバー３１を組み合わせた状態で示してある。
【００３９】
以上の如く構成されたキャビネット２において、相隣する収納室２１の側板２２、２２間には、スペーサ４の縦片及び背板２５により前後を挟まれ、上部が開放された空間が形成されるから、照明器具３の発生熱は、前記空間内に放熱され、開放部を通して外部に放出されることとなり、複雑な構成を必要とせずに良好な放熱を実現することができる。なお、天板２３には、前記空間の開放部に対応する位置に適宜の通気孔（図示せず）が形成されており、外気への放熱は、この通気孔を経てなされる。
【００４０】
（実施の形態４）
図９は、実施の形態４に係るキャビネット２の斜視図、図１０は、図９に示すキャビット２の分解斜視図である。このキャビネット２は、スペーサ４の構成が実施の形態２と共通し、収納室２１の構成が実施の形態３と共通しており、対応する構成部材に同一の参照符号を付して説明を省略する。
【００４１】
このキャビネット２においても、相隣する収納室２１の側板２２、２２間に上下に並ぶスペーサ４が介装され、上部及び前部に開放された空間が形成されるから、各スペーサ４間に架け渡すように取り付けられた照明器具３の発生熱は、複雑な構成を必要とせずに良好に放熱することができる。
【００４２】
以上の実施の形態においては、洗面化粧台に付設されるキャビネット２としての構成例について述べたが、各実施の形態は、前方を照明する照明器具を備えるキャビネット全般に適用可能であり、同様の作用、効果が得られることは言うまでもない。
【００４３】
なお、今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【００４４】
２    キャビネット
３    照明器具
４    スペーサ
２０  前面扉（扉）
２１  収納室
２２  側板
２３  天板
２４  底板
２５  背板
３０  ＬＥＤ基板
【図１】
2018023621.tif 000003
【図２】
2018023621.tif 000004
【図３】
2018023621.tif 000005
【図４】
2018023621.tif 000006
【図５】
2018023621.tif 000007
【図６】
2018023621.tif 000008
【図７】
2018023621.tif 000009
【図８】
2018023621.tif 000010
【図９】
2018023621.tif 000011
【図１０】
2018023621.tif 000012